(57)【特許請求の範囲】
【請求項１】
建物の屋根の軒先に対象物を取り付けるための固定装置であって、
前記軒先に載せる載置面部と、前記載置面部の後縁から立ち上げられる立壁部とを有する受け金具と、
前記立壁部に接触させる軒先側片部と、前記軒先側片部の下縁から屋根本体側に延びる連絡部と、前記連絡部の後縁から垂下されて前記軒先に隣接する隙間に挿し込まれる挿込み片部と、前記挿込み片部の下部に設けられる引掛け部とを有する支持金具と、
前記立壁部と前記軒先側片部とを接合させる接合材とを備え、
前記引掛け部を前記屋根に固定された隣接する部材に引っ掛けさせることで前記軒先に前記受け金具を固定させるものであるとともに、前記受け金具に前記対象物を固定するものであることを特徴とする固定装置。
【請求項２】
前記立壁部には、前記接合材を挿入させるための上下方向に延びる長穴が設けられることを特徴とする請求項１に記載の固定装置。
【請求項３】
前記立壁部の下部には、屋根本体側に窪んだ凹条部が設けられることを特徴とする請求項１又は２に記載の固定装置。
【請求項４】
前記隣接する部材は太陽電池モジュールであって、取付金具を用いて前記屋根に固定されていることを特徴とする請求項１乃至３のいずれか一項に記載の固定装置。
【請求項５】
前記対象物はジョイントボックスであって、ボルトとナットによって前記受け金具に固定するものであることを特徴とする請求項１乃至４のいずれか一項に記載の固定装置。
【請求項６】
前記対象物は管材であって、サドルとネジによって前記受け金具に固定するものであることを特徴とする請求項１乃至４のいずれか一項に記載の固定装置。
【請求項７】
請求項１乃至６のいずれか一項に記載の固定装置を使用して建物の屋根の軒先に対象物を取り付けるための軒先構造であって、
前記引掛け部を前記屋根に固定された前記隙間に隣接する部材の下面側に引っ掛けさせるとともに、前記受け金具に前記対象物を固定したことを特徴とする軒先構造。
【請求項８】
前記連絡部の下方に収容空間が形成されることを特徴とする請求項７に記載の軒先構造。
【請求項９】
前記載置面部の縁部を、前記軒先の張り出し部分に接合させることを特徴とする請求項７又は８に記載の軒先構造。
【請求項１０】
請求項１乃至６のいずれか一項に記載の固定装置を使用して建物の屋根の軒先に対象物を取り付けるための固定装置の取り付け方法であって、
前記受け金具の載置面部を前記軒先に載せる工程と、
前記支持金具の挿込み片部を前記隙間に挿し込む工程と、
前記支持金具を持ち上げて前記引掛け部を前記屋根に固定された前記隙間に隣接する部材の下面側に引っ掛けさせる工程と、
前記立壁部と前記軒先側片部とを前記接合材によって接合させる工程とを備えたことを特徴とする固定装置の取り付け方法。
【発明の詳細な説明】
【技術分野】
【０００１】
本発明は、建物の屋根に太陽電池モジュール等を設置した場合に、ジョイントボックスなどの対象物を軒先に取り付けるための固定装置、軒先構造及び固定装置の取り付け方法に関するものである。
【背景技術】
【０００２】
建物の屋根上に太陽電池モジュールを並べて設置した際に、発電された電力を送電するために地上に向けた配線が行われる。配線は、屋根に固定する必要があるが、この固定のために屋根の防水層を損傷させては雨漏りの原因等になるので、屋根を傷付けないようにした屋根上配線構造が特許文献１に開示されている。
【０００３】
すなわち特許文献１には、先端にフック状の配線を保持する部分が設けられた配線保持具を、後端に設けられた切起し片を屋根瓦の端縁に引っ掛けることで、屋根瓦に穴をあけることなく配線を保持させることができる構造が開示されている。
【０００４】
一方、特許文献２には、屋根材同士の接続箇所（はぜ部）に、太陽電池モジュールを設置するための支持金具を固定した、屋根上太陽電池モジュール設置構造が開示されている。
【０００５】
また、特許文献３には、折板屋根の垂木を挟持させることで、ボルトや釘などによって貫通孔を開けることなく屋根に太陽電池モジュールを設置することができる屋根用固定装置が開示されている。
【０００６】
さらに、特許文献４には、屋根材となる太陽電池パネルに対して直接的な釘打ち作業を行うことなく野地板に固定するための、２部品によって構成される屋根材固定具が開示されている。
【０００７】
そして、特許文献５，６には、屋根に開けられた穴から、屋根の防水性能を低下させることなく配線を屋内側に引き込むための配線引き込み構造が開示されている。
【０００８】
また、特許文献７には、下葺き排水板部材に穴を開けて取付けボルトを通し、その下端に設けられた固定係合金具を梁状の母屋部材に引っ掛ける軒先納め構造用支持垂木部材の取付け固定装置が開示されている。
【先行技術文献】
【特許文献】
【０００９】
【特許文献１】特開２００５−２６４６４０号公報
【特許文献２】特開２０１３−６４２４９号公報
【特許文献３】特開２００３−２５３８２６号公報
【特許文献４】特開２０００−６４５１５号公報
【特許文献５】特開２０１２−１７７２８０号公報
【特許文献６】特開２００１−３１１２７９号公報
【特許文献７】特開平０４−１７９７５７号公報
【発明の概要】
【発明が解決しようとする課題】
【００１０】
しかしながら、特許文献１−７には、防水性能を低下させる原因となり得るような穴を開けることなく、建物の屋根の軒先に配線用のジョイントボックスなどのような比較的大きな対象物を取り付けるための構造は開示されていない。
【００１１】
そこで、本発明は、防水性能を低下させることなく建物の屋根の軒先に対象物を取り付けるための固定装置、軒先構造及び固定装置の取り付け方法を提供することを目的としている。
【課題を解決するための手段】
【００１２】
前記目的を達成するために、本発明の固定装置は、建物の屋根の軒先に対象物を取り付けるための固定装置であって、前記軒先に載せる載置面部と、その後縁から立ち上げられる立壁部とを有する受け金具と、前記立壁部に接触させる軒先側片部と、その下縁から屋根本体側に延びる連絡部と、その連絡部の後縁から垂下されて前記軒先に隣接する隙間に挿し込まれる挿込み片部と、その挿込み片部の下部に設けられる引掛け部とを有する支持金具と、前記立壁部と前記軒先側片部とを接合させる接合材とを備えたことを特徴とする。
【００１３】
ここで、前記立壁部には、前記接合材を挿入させるための上下方向に延びる長穴が設けられることが好ましい。また、前記立壁部の下部には、屋根本体側に窪んだ凹条部が設けられる構成とすることができる。
【００１４】
さらに、本発明の軒先構造は、上記いずれかに記載の固定装置を使用して建物の屋根の軒先に対象物を取り付けるための軒先構造であって、前記引掛け部を前記隙間に隣接する部材の下面側に引っ掛けさせるとともに、前記受け金具に前記対象物を固定したことを特徴とする。
【００１５】
ここで、前記連絡部の下方に収容空間が形成される構成とすることができる。また、前記載置面部の縁部を、前記軒先の張り出し部分に接合させることが好ましい。
【００１６】
そして、本発明の固定装置の取り付け方法は、上記いずれかに記載の固定装置を使用して建物の屋根の軒先に対象物を取り付けるための固定装置の取り付け方法であって、前記受け金具の載置面部を前記軒先に載せる工程と、前記支持金具の挿込み片部を前記隙間に挿し込む工程と、前記支持金具を持ち上げて前記引掛け部を前記隙間に隣接する部材の下面側に引っ掛けさせる工程と、前記立壁部と前記軒先側片部とを前記接合材によって接合させる工程とを備えている。
【発明の効果】
【００１７】
このように構成された本発明の固定装置及び軒先構造は、対象物を固定するための受け金具と、接合材によって受け金具に接合されるとともに屋根本体側に引っ掛けられる支持金具とによって主に構成される。
【００１８】
このように屋根に穴を開けるなどの損傷をさせずに建物の屋根の軒先に固定装置を取り付けることができるため、屋根の防水性能を低下させることなくジョイントボックスなどのような比較的大きな対象物を取り付けることができる。
【００１９】
また、受け金具の立壁部に接合材を挿入させるための長穴が設けられていれば、支持金具を引っ掛けられる高さに関わらず、受け金具を所望する位置に取り付けることができる。
【００２０】
さらに、凹条部や連絡部の下方に収容空間が形成されていれば、対象物の側方を通過させる配線などを収容空間を通すことで、目立たせないようにすることができる。
【００２１】
また、受け金具の載置面部の縁部を、下方が屋内と繋がらない軒先の張り出し部分に接合させるのであれば、屋根の防水性能を低下させることなく受け金具を固定させることができる。
【００２２】
そして、本発明の固定装置の取り付け方法では、支持金具をしっかりと引っ掛けさせた後に、受け金具と支持金具とを接合材によって接合させるので、受け金具を確実に固定することができる。
【図面の簡単な説明】
【００２３】
【図１】本実施の形態の軒先構造の構成を示した説明図である。
【図２】本実施の形態の固定装置の受け金具の構成を説明する図であって、（ａ）は斜視図、（ｂ）は（ａ）のＡ−Ａ矢視方向で見た断面図である。
【図３】本実施の形態の固定装置の支持金具の取り付け工程を説明する図であって、（ａ）は斜視図、（ｂ）は（ａ）のＢ−Ｂ矢視方向で見た断面図である。
【図４】支持金具の構成を説明する図であって、（ａ）は斜視図、（ｂ）は側面図である。
【図５】軒先に２つの固定装置が配置された状態を説明する斜視図である。
【図６】実施例１の固定装置の構成を示した断面図である。
【図７】実施例１の支持金具の構成を説明する図であって、（ａ）は正面図、（ｂ）は側面図である。
【図８】実施例２の固定装置の構成を説明する図であって、（ａ）は受け金具を取り付ける工程を説明する斜視図、（ｂ）は支持金具を取り付ける工程を説明する斜視図である。
【図９】実施例２の固定装置の使用状況を説明する斜視図である。
【発明を実施するための形態】
【００２４】
以下、本発明の実施の形態について図面を参照して説明する。図１は、本実施の形態で説明する屋根１の軒先となる庇部１２周辺の構成を説明するための斜視図である。
【００２５】
この屋根１の上には、複数の太陽電池モジュールＰ，・・・が隣接して並べられる。また、軒先側の太陽電池モジュールＰと外壁１３の上端との間には、庇部１２が設けられる。
【００２６】
この庇部１２は、上面が桁カバー１１によって覆われている。また、庇部１２の外壁１３から張り出される部分を、張出し部１２ａとする。一方、桁カバー１１の太陽電池モジュールＰ側に立ち上げられた上縁を、上端縁１１ａとする。
【００２７】
本実施の形態で説明する屋根１が設けられる建物は、例えばユニット建物である。ユニット建物は、複数の建物ユニットを隣接させて構築される住宅などの建物である。
【００２８】
建物ユニットは、隅角部に配置される４本の柱材と、柱材の上端間及び下端間をそれぞれ繋ぐ梁材とによって直方体状に形成される。柱材と梁材とが溶接によって剛接合された場合、建物ユニットの主構造は鉄骨ラーメン構造となる。
【００２９】
そして、設置されたすべての建物ユニットの上面が覆われるように、例えば陸屋根となる屋根１が構築される。本実施の形態で説明する屋根１は、図２（ｂ）に示すように断面視略コ字形の屋根フレーム１４によって縁部が形成される。
【００３０】
この屋根フレーム１４に対して、屋根本体側に間隔を置いて平行に別の屋根フレーム１４が配置されており、屋根フレーム１４，１４間は、下地板としての野地板１５によって塞がれる。
【００３１】
この野地板１５の上面は、ポリエチレンルーフィングなどの防水シート（図示省略）で覆われる。また、この防水シートの上には、屋根ふき材（図示省略）が設置される。この屋根ふき材には、例えば防水性能及び耐食性能に優れた溶融アルミニウムめっき鋼板などが使用される。
【００３２】
そして、この屋根１には、太陽電池モジュールＰが設置される。太陽電池モジュールＰの両側縁には、屋根フレーム１４に太陽電池モジュールＰを固定させるための取付金具Ｐｂが取り付けられている。また、太陽電池モジュールＰの下面Ｐａと野地板１５を覆う屋根ふき材との間は、離隔した状態となる。
【００３３】
一方、各太陽電池モジュールＰから引き出されたケーブルは、それぞれ引廻しケーブルＰ２に接続されて、図１に示すように庇部１２上まで配線される。この引廻しケーブルＰ２，・・・は、劣化や浸水を防ぐために、ＰＦ管Ｐ１に収容される。
【００３４】
そして、この引廻しケーブルＰ２の接続（結線）が行われるジョイントボックスＰ３を庇部１２に取り付けるために、本実施の形態の固定装置２が使用される。すなわち、固定装置２によって庇部１２に取り付けられる対象物は、本実施の形態ではジョイントボックスＰ３となる。
【００３５】
この固定装置２は、ジョイントボックスＰ３を固定する受け金具３と、受け金具３を支持させる支持金具４と、受け金具３と支持金具４とを接合させる接合材としてのボルト２１ａ及びナット２１ｂとによって主に構成される。
【００３６】
この受け金具３は、図２に示すように、庇部１２上に載せる長方形の板状の載置面部３１と、その後縁から立ち上げられる立壁部３２とが、一枚の鋼板等を折り曲げ加工することによって成形される。
【００３７】
立壁部３２は、垂直な上部壁面に設けられる上下方向に延びる長穴３２１，３２１と、長穴３２１，３２１間となる略中央に穿孔される取付穴３２３と、太陽電池モジュールＰ側（屋根本体側）に窪んだ下部の凹条部３２２とを有している。
【００３８】
この凹条部３２２は、桁カバー１１の立ち上げられた壁面に押し当てられる。また、載置面部３１の先端側（軒先側）の縁部は、庇部１２の張出し部１２ａにリベット３１１，３１１によって接合される。
【００３９】
ここで、リベット３１１は、張出し部１２ａを貫通することになるが、張出し部１２ａの下方は屋外となるので、この接合が屋根１の防水性能に影響を及ぼすことはない。
【００４０】
受け金具３の立壁部３２は、桁カバー１１の上端縁１１ａよりも上方まで突出している。そして、この立壁部３２の裏面（屋根本体側の壁面）に、支持金具４の一側面を接触させる。
【００４１】
支持金具４は、図３に示すように、立壁部３２に接触させる軒先側片部４１と、その下縁から屋根本体側に延びる連絡部４２と、その連絡部４２の後縁から垂下されて庇部１２に隣接する隙間に挿し込まれる挿込み片部４３と、その挿込み片部４３の下部に設けられる引掛け部４４とを備えている。
【００４２】
軒先側片部４１は、立壁部３２と略平行となるように成形され、立壁部３２の長穴３２１，３２１と対向する位置に丸穴４１１，４１１が穿孔される。また、立壁部３２の取付穴３２３と対向する軒先側片部４１の略中央には、上方が開放された切欠き溝４１２が設けられる。
【００４３】
また、図４に示すように、連絡部４２には、軒先側片部４１側に溝部４２１が設けられる。すなわち溝部４２１は、挿込み片部４３と略平行に対向するように設けられる。
【００４４】
そして、図３（ｂ）に示すように、溝部４２１と挿込み片部４３との間に、桁カバー１１の上端縁１１ａを収容させる。この溝部４２１と挿込み片部４３との間隔は上端縁１１ａの幅よりも広く、上端縁１１ａ上に連絡部４２が載せられることになる。
【００４５】
挿込み片部４３は、上端縁１１ａと太陽電池モジュールＰとの僅かな隙間に挿し込まれる。また、引掛け部４４は、図４（ｂ）に示すように、挿込み片部４３の下端から上方に向けて広がるように設けられる。
【００４６】
要するに挿込み片部４３の下部と引掛け部４４とは、側面視略Ｖ字状に形成される。このため、狭い隙間に対して挿込み片部４３を上方から挿し込むことはできるが、挿し込んだ後に上方に引き抜こうとすれば、屋根本体側に広がった引掛け部４４が太陽電池モジュールＰの下面Ｐａ側に当たって、引き抜くことができなくなる。
【００４７】
立壁部３２と軒先側片部４１とを接合させるボルト２１ａは、軒先側片部４１の丸穴４１１側から挿入されて、立壁部３２の長穴３２１から先端を突出させる。
【００４８】
長穴３２１側に突出されたボルト２１ａの先端には、ナット２１ｂが装着される。ボルト２１ａは、長穴３２１の範囲内であれば、いずれの位置においても固定することができる。要するに、受け金具３と支持金具４との高さ方向の位置関係は、長穴３２１，３２１の範囲内で調整することができる。
【００４９】
次に、本実施の形態の固定装置２の取り付け方法を説明するとともに、固定装置２及びそれを使った軒先構造、並びに固定装置２の取り付け方法の作用について説明する。
【００５０】
屋根の上に並べられた太陽電池モジュールＰ，・・・には、それによって発電された電力を送電するための電気幹線となる引廻しケーブルＰ２，・・・が接続される。
【００５１】
この引廻しケーブルＰ２，・・・の配線は、庇部１２上に設置されるジョイントボックスＰ３内で結線され、外壁１３の入線穴１３ａから屋内に引き込まれることになる。
【００５２】
そこで、図２（ａ）に示すように、入線穴１３ａの真上の位置の庇部１２に、受け金具３が取り付けられる。受け金具３は、凹条部３２２を桁カバー１１の立上り面に接触させることによって、庇部１２の奥行き方向の位置合わせが行われる。
【００５３】
位置合わせ後に、受け金具３の載置面部３１の縁部を、庇部１２の張出し部１２ａに対してリベット３１１，３１１を打ち込んで接合させる。このリベット３１１は、張出し部１２ａを貫通することになるが、外壁１３より外側に張り出された部分であるため、屋内側に漏水が起きることはない。
【００５４】
続いて、図３（ｂ）に示すように、立壁部３２の裏面に沿って支持金具４を降ろし、桁カバー１１の上端縁１１ａに対して連絡部４２を被せる。この際、支持金具４の挿込み片部４３は、上端縁１１ａと太陽電池モジュールＰとの隙間に挿し込まれる。
【００５５】
そして、連絡部４２を上端縁１１ａに載せた状態でボルト２１ａを丸穴４１１に挿し込み、先端を長穴３２１側に突出させる。長穴３２１から突出されたボルト２１ａの先端には、ナット２１ｂを軽くねじ込む。
【００５６】
このように受け金具３と支持金具４とを仮固定した状態で、支持金具４を上方に引き上げる。すると、支持金具４の引掛け部４４が太陽電池モジュールＰの下面Ｐａ側に引っ掛かり、それ以上の上昇が阻止される。
【００５７】
そこで、ナット２１ｂ，２１ｂを締め付けて、支持金具４を固定する。このようにして庇部１２に取り付けられた固定装置２には、図１に示すようにボルト２２ａ及びナット２２ｂを使って、ジョイントボックスＰ３が固定される。
【００５８】
ここで、ボルト２２ａは、支持金具４の切欠き溝４１２側から挿入されて、受け金具３の取付穴３２３を通って、ジョイントボックスＰ３の背面の穴Ｐ３２から先端が突出される。
【００５９】
ジョイントボックスＰ３の側面には、コネクタＰ３１，Ｐ３１が取り付けられており、そこから引廻しケーブルＰ２，・・・を内部に引き入れる。また、ジョイントボックスＰ３から引き出されるケーブル（図示省略）は、外壁１３の入線穴１３ａから屋内に引き込まれる。
【００６０】
また、図５に示すように、庇部１２に複数のジョイントボックスＰ３，Ｐ３を配置することもできる。この際には、別のジョイントボックスＰ３に接続させるための引廻しケーブルＰ２，・・・が収容されるＰＦ管Ｐ１は、図の左側に示すように、ジョイントボックスＰ３の背面側の凹条部３２２を通過させる。
【００６１】
このような凹条部３２２という収容空間を利用した配線にすることによって、ＰＦ管Ｐ１をジョイントボックスＰ３で挟んで固定することができるうえに、ジョイントボックスＰ３よりも軒先側にＰＦ管Ｐ１が露出することがなく、外観を良くすることができる。
【００６２】
このように構成された本実施の形態の固定装置２及び軒先構造は、取り付けの対象物となるジョイントボックスＰ３を固定するための受け金具３と、ボルト２１ａ及びナット２１ｂによって受け金具３に接合されるとともに屋根本体側に引っ掛けられる支持金具４とによって主に構成される。
【００６３】
このように屋根に穴を開けるなどの損傷をさせずに建物の屋根の庇部１２に固定装置２を取り付けることができるため、屋根の防水性能を低下させることなく比較的大きなジョイントボックスＰ３のような対象物を取り付けることができる。
【００６４】
また、受け金具３の立壁部３２にボルト２１ａを挿入させるための長穴３２１が設けられていれば、支持金具４の引っ掛け高さに関わらず、受け金具３を所望する位置に取り付けることができる。
【００６５】
例えば、引掛け部４４を太陽電池モジュールＰの下面Ｐａ側に引っ掛けようとすると、傾斜した状態で設置される太陽電池モジュールＰは、場所によって引掛け部４４を引っ掛けることができる高さが異なる。これに対して、長穴３２１で高さ方向の位置が調整できるようになっていれば、同じ固定装置２を使って任意の箇所にジョイントボックスＰ３を取り付けることができる。
【００６６】
さらに、受け金具３の載置面部３１の縁部を、下方が屋内と繋がらない庇部１２の張出し部１２ａに接合させるのであれば、屋根１の防水性能を低下させることなく受け金具３を固定させることができる。
【００６７】
このように本実施の形態の固定装置２の取り付け方法では、支持金具４をしっかりと引っ掛けさせた後に、受け金具３と支持金具４とをボルト２１ａ及びナット２１ｂによって接合させるので、受け金具３を確実に固定することができる。
【００６８】
すなわち、引掛け部４４を太陽電池モジュールＰの下面Ｐａ側に引っ掛けることで、強い風圧などを受けても支持金具４は抜けずにその位置に留まることができる。また、このように固定された支持金具４に一側縁が支持された受け金具３も、しっかりと庇部１２上に固定されたことになる。
【００６９】
また、凹条部３２２のような収容空間が形成されていれば、ジョイントボックスＰ３の側方を通過させるＰＦ管Ｐ１などを凹条部３２２を通すことで、目立たせないようにすることができる。
【実施例１】
【００７０】
以下、前記した実施の形態とは別の形態の実施例１の固定装置２Ａ及び軒先構造について、図６，７を参照しながら説明する。なお、前記実施の形態で説明した内容と同一乃至均等な部分の説明については、同一用語又は同一符号を付して説明する。
【００７１】
前記実施の形態では、溝部４２１を有する支持金具４について説明したが、本実施例１では、溝部４２１のない支持金具４Ａによって構成される固定装置２Ａについて説明する。
【００７２】
この固定装置２Ａは、ジョイントボックスＰ３を固定する受け金具３Ａと、受け金具３Ａを支持させる支持金具４Ａと、受け金具３Ａと支持金具４Ａとを接合させる接合材としてのボルト２１ａ及びナット２１ｂとによって主に構成される。
【００７３】
受け金具３Ａの取付穴３２３Ａは、立壁部３２Ａの長穴３２１よりも下方に設けられており、図６に示すように、支持金具４Ａの軒先側片部４１Ａと取付穴３２３Ａとは、重ならないようなっている。なお、それ以外の構成については、前記実施の形態で説明した構成とほぼ同じであるため、詳細な説明を省略する。
【００７４】
一方、支持金具４Ａは、図６，７に示すように、立壁部３２に接触させる軒先側片部４１Ａと、その下縁から屋根本体側に延びる連絡部４２Ａと、その連絡部４２Ａの後縁から垂下されて庇部１２に隣接する隙間に挿し込まれる挿込み片部４３Ａと、その挿込み片部４３Ａの下部に設けられる引掛け部４４Ａとを備えている。
【００７５】
軒先側片部４１Ａは、立壁部３２Ａと略平行となるように成形され、立壁部３２Ａの長穴３２１，３２１と対向する位置に丸穴４１１，４１１が穿孔される。
【００７６】
他方、立壁部３２Ａの取付穴３２３Ａと軒先側片部４１Ａとは重ならないので、前記実施の形態で説明した軒先側片部４１のような切欠き溝４１２は設けられない。
【００７７】
本実施例１で説明する固定装置２Ａは、前記実施の形態で説明した固定装置２よりも幅を狭くすることができ、小型のジョイントボックスＰ３の取り付けに適している。
【００７８】
また、図７（ｂ）に示すように、連絡部４２Ａは、略水平の板状に形成される。このように下方への出っ張りのない連絡部４２Ａにすることで、図６に示すように、受け金具３Ａの凹条部３２２の上面と連絡部４２Ａの下面との間に、収容空間５を確保することができるようになる。
【００７９】
このように連絡部４２Ａの下方に収容空間５が形成されていれば、ジョイントボックスＰ３の側方を通過させるＰＦ管Ｐ１を収容空間５を通すことで、目立たせないようにすることができる。
【００８０】
なお、他の構成及び作用効果については、前記実施の形態と略同様であるので説明を省略する。
【実施例２】
【００８１】
以下、前記した実施の形態及び実施例１とは別の形態の実施例２の固定装置２Ｂ及び軒先構造について、図８，９を参照しながら説明する。なお、前記実施の形態及び実施例１で説明した内容と同一乃至均等な部分の説明については、同一用語又は同一符号を付して説明する。
【００８２】
前記実施例１では、前記実施の形態で説明した固定装置２よりも小型のジョイントボックスＰ３の取り付けに適した固定装置２Ａについて説明したが、本実施例２では、さらに幅の狭い固定装置２Ｂについて説明する。
【００８３】
この固定装置２Ｂは、図９及び図８（ｂ）に示すように、対象物となるＰＦ管Ｐ１を固定する受け金具３Ｂと、受け金具３Ｂを支持させる支持金具４Ｂと、受け金具３Ｂと支持金具４Ｂとを接合させる接合材としてのリベット２３とによって主に構成される。
【００８４】
この受け金具３は、図８（ａ）に示すように、庇部１２上に載せる長方形の短冊板状の載置面部３１Ｂと、その後縁から立ち上げられる立壁部３２Ｂと、立壁部３２Ｂの上縁に設けられる上縁部３４とが、一枚の鋼板等を折り曲げ加工することによって成形される。
【００８５】
また、立壁部３２Ｂには、上下方向に延びる長穴３５１，３５１と、側縁付近に穿孔される取付穴３５２，・・・と、桁カバー１１の立ち上げられた壁面との間に介在させるスペーサ３３とを有している。
【００８６】
このスペーサ３３は、弾力性のあるゴムなどによって形成されている。また、桁カバー１１の壁面に押し当てられるスペーサ３３の上方は、立壁部３２Ｂの上縁部３４によって覆われる。
【００８７】
一方、取付穴３５２，・・・は、図９に示すように、ＰＦ管Ｐ１，Ｐ１を固定するためのサドル２４，２４の接合位置（ネジ２４１をねじ込む位置）に合わせて穿孔される。
【００８８】
また、支持金具４Ｂは、図８（ｂ）に示すように、立壁部３２Ｂに接触させる軒先側片部４１Ｂと、その下縁から屋根本体側に延びる連絡部４２Ｂと、その連絡部４２Ｂの後縁から垂下されて庇部１２に隣接する隙間に挿し込まれる挿込み片部４３Ｂと、その挿込み片部４３Ｂの下部に設けられる引掛け部４４Ｂとを備えている。
【００８９】
軒先側片部４１Ｂは、立壁部３２Ｂと略平行となるように成形され、立壁部３２Ｂの長穴３５１，３５１と対向する位置に丸穴４１３，４１３が穿孔される。
【００９０】
この固定装置２Ｂでは、立壁部３２Ｂと軒先側片部４１Ｂとをリベット２３，２３によって接合させる。リベット２３，２３であれば、立壁部３２Ｂの幅が狭くても取り付けることができる。
【００９１】
このようにして庇部１２に取り付けられた固定装置２Ｂには、図９に示すようにサドル２４及びネジ２４１，２４１を使って、ＰＦ管Ｐ１が固定される。一つの固定装置２Ｂに対して、上下に２本のＰＦ管Ｐ１，Ｐ１が固定される。この際、２つのサドル２４，２４の取り付け箇所は、左右及び上下で位置がずれているので干渉することがない。
【００９２】
なお、他の構成及び作用効果については、前記実施の形態又は実施例１と略同様であるので説明を省略する。
【００９３】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００９４】
例えば、前記実施の形態及び実施例では、ユニット建物の陸屋根に軒先構造を設ける場合について説明したが、これに限定されるものではなく、その他プレハブ工法や在来工法などで構築される建物の屋根にも、本発明の軒先構造を適用することができる。また、屋根も陸屋根に限定されるものではなく、傾斜屋根であっても適用することができる。
【符号の説明】
【００９５】
１              屋根
１２            庇部（軒先）
１２ａ          張出し部
２，２Ａ，２Ｂ  固定装置
２１ａ          ボルト（接合材）
２３            リベット（接合材）
３，３Ａ，３Ｂ  受け金具
３１，３１Ｂ    載置面部
３１１          リベット
３２，３２Ａ，３２Ｂ  立壁部
３２１，３５１  長穴
３２２          凹条部
４，４Ａ，４Ｂ  支持金具
４１，４１Ａ，４１Ｂ  軒先側片部
４２，４２Ａ，４２Ｂ  連絡部
４３，４３Ａ，４３Ｂ  挿込み片部
４４，４４Ａ，４４Ｂ  引掛け部
５              収容空間
Ｐ              太陽電池モジュール
Ｐａ            下面
Ｐ１            ＰＦ管（対象物）
Ｐ３            ジョイントボックス（対象物）
【図１】
0006495046.tif 000002
【図２】
0006495046.tif 000003
【図３】
0006495046.tif 000004
【図４】
0006495046.tif 000005
【図５】
0006495046.tif 000006
【図６】
0006495046.tif 000007
【図７】
0006495046.tif 000008
【図８】
0006495046.tif 000009
【図９】
0006495046.tif 000010